(57)【要約】【課題】トランスコアの配置の自由度が高く、また、放熱性の高い、安価なリアクトル装置を提供する。【解決手段】トランス１０１上部を形成する上部Ｅコア１０２の上面及び両側面に、断面形状がコの字型の放熱板１０５を接触させ、リアクトルケース１０６の開口した一面から放熱板１０５を備えたトランス１０１を収容し、トランス１０１とリアクトルケース１０６との間隙に放熱板１０５の下端部が浸かるまでポッティング樹脂材を充填する。トランス１０１を収容したリアクトルケース１０６は、冷却機構を備える台座に据え付けられて固定される。【選択図】図５
2014036194.tif 000002
【特許請求の範囲】
【請求項１】
上部コアと下部コアとが結合されたトランスコアと、
開口された一面から前記トランスコアを収容するケースと、
収容された前記トランスコアと前記ケースとの間隙に充填される樹脂材と、
前記上部コア及び充填された前記樹脂材に接触し、熱伝導性を有する放熱部材と、
を具備するリアクトル装置。
【請求項２】
前記トランスコアは、２つのＥコアが結合された、
請求項１に記載のリアクトル装置。
【請求項３】
前記樹脂材は、前記トランスコアの半分の高さ未満となる量が充填される、
請求項１に記載のリアクトル装置。
【請求項４】
前記放熱部材は、前記樹脂材が硬化することによって固定される、
請求項１に記載のリアクトル装置。
【請求項５】
前記放熱部材は、アルミである、
請求項１に記載のリアクトル装置。
【請求項６】
前記放熱部材は、断面がコの字型、Ｌ字型、または、Ｉ字型のいずれかの形状を有する、
請求項１に記載のリアクトル装置。
【請求項７】
前記ケースは、冷却構造を有する台座に据え付けられて固定される、
請求項１に記載のリアクトル装置。
【発明の詳細な説明】
【技術分野】
【０００１】
本発明は、放熱性能に優れたリアクトル装置に関する。
【背景技術】
【０００２】
近年、プラグインハイブリッド自動車（以下、「ＰＨＥＶ（Plug-in Hybrid Electric Vehicle）」という）及び電気自動車（以下、「ＥＶ（Electric Vehicle）」という）が普及してきている。ＰＨＥＶ又はＥＶは、外部の交流電源を直流に変換して、車両の蓄電池へ出力する車載充電器を搭載している。この車載充電器には、力率改善又は平滑化などのためのコイルを備えるリアクトル装置が実装される。
【０００３】
ＰＨＥＶ又はＥＶの車載充電器に用いられるリアクトル装置には、４００ボルト前後の非常に高い電圧が印加される。このため、コイルは発熱により高温となる。この場合、車載充電器内でのコイルの過熱を防ぐために、リアクトル装置に高い放熱性を持たせることが重要となる。それと同時に、コイルとそのハウジング部材との間で確実な電気的絶縁性を持たせることも重要となる。
【０００４】
コイルを備えるリアクトル装置としては、特許文献１に開示の技術が知られている。以下、特許文献１に開示のリアクトル装置について図１を用いて説明する。
【０００５】
ヒートシンク１３に載置されたトランスコア１４を囲うブラケット１２は、トランスコア１４に密着可能に形成された保持部１２ａと、該保持部１２ａの両端からヒートシンク１３側に延設された伝熱部１２ｂとを備えている。各伝熱部１２ｂの下端部（固定部１２ｃ）は、ボルトＢ１によりヒートシンク１３に固定されている。また、ヒートシンク１３において、トランスコア１４が配置される位置には、取付孔２３が形成されており、該取付孔２３には、トランスコア載置台２５が配設されている。そして、トランスコア１４は、圧縮コイルばね２８によりブラケット１２側に付勢されるトランスコア載置台２５と、ブラケット１２の保持部１２ａとの間に狭持されるとともに、ヒートシンク１３に固定される。
【０００６】
特許文献１に開示のリアクトル装置は、上記構成を有することにより、トランスコア１４の外形寸法が不均一であったとしても、保持部１２ａと上側コア１４ａとを密着させつつ、ヒートシンク１３に固定することができる。よって、トランス１１で発生する熱を、ブラケット１２を通してヒートシンク１３へ逃しやすくすることができる。
【０００７】
また、放熱性を高めるため、熱伝導率の高い樹脂を用いたリアクトル装置が特許文献２に開示されている。以下、特許文献２に開示のリアクトル装置について図２を用いて説明する。
【０００８】
リアクトル装置は、台座１と、コア２と、コイル３と、固定部材４Ａ，４Ｂとを備える。コア２の両端２Ａ，２Ｂは、台座１の保持部１Ａ，１Ｂ上に載せられ、固定部材４Ａの押付面４１Ａは、コア２の端２Ａを保持部１Ａに押付け、固定部材４Ｂの押付面４１Ｂは、コア２の端２Ｂを保持部１Ｂに押付ける。そして、台座１、コア２、コイル３、固定部材４Ａ，４Ｂは、熱伝導率が高い不飽和ポリエステル系の樹脂により一体的にモールドされる。
【０００９】
特許文献２に開示のリアクトル装置は、上記構成を有することにより、コア２で発生した熱を保持部１Ａ，１Ｂ及び樹脂を介して台座１に効率良く放熱することができる。
【先行技術文献】
【特許文献】
【００１０】
【特許文献１】特開２０１０−１０４５３号公報
【特許文献２】特開２００４−９５５７０号公報
【発明の概要】
【発明が解決しようとする課題】
【００１１】
しかしながら、上記特許文献１に開示のリアクトル装置では、圧縮コイルばね２８がヒートシンク１３内部に突出形成されたボス部２１ｂに固定されており、この圧縮コイルばね２８の位置によってトランスコア１４の位置が規定されるため、トランスコアの配置の自由度が低下するという問題がある。また、金属同士の接点では、金属の凹凸などにより放熱が十分に行われないという問題がある。
【００１２】
また、上記特許文献２に開示のリアクトル装置では、高価な不飽和ポリエステル系樹脂を大量に使用するため、リアクトル装置の価格が高くなるという問題がある。
【００１３】
本発明の目的は、トランスコアの配置の自由度が高く、また、放熱性の高い、安価なリアクトル装置を提供することである。
【課題を解決するための手段】
【００１４】
本発明のリアクトル装置は、上部コアと下部コアとが結合されたトランスコアと、開口された一面から前記トランスコアを収容するケースと、収容された前記トランスコアと前記ケースとの間隙に充填される樹脂材と、前記上部コア及び充填された前記樹脂材に接触し、熱伝導性を有する放熱部材と、を具備する構成を採る。
【発明の効果】
【００１５】
本発明によれば、トランスコアの配置の自由度が高く、また、放熱性の高いリアクトル装置を安価に提供することができる。
【図面の簡単な説明】
【００１６】
【図１】特許文献１に開示のリアクトル装置の構成図
【図２】特許文献２に開示のリアクトル装置の構成図
【図３】本発明の一実施の形態に係るリアクトル装置全体の斜視図
【図４】図３のリアクトル装置全体の分解斜視図
【図５】図３のリアクトル装置全体の断面図
【図６】図５の断面図において円で囲んだ領域の拡大図
【図７】図３のリアクトル装置全体の上面図、正面図及び右側面図
【図８】断面形状がＬ字型の放熱板を用いたリアクトル装置全体の斜視図
【図９】図８のリアクトル装置全体の断面図
【図１０】図８のリアクトル装置全体の上面図、正面図及び右側面図
【図１１】断面形状がＩ字型の放熱板を用いたリアクトル装置全体の斜視図
【図１２】図１１のリアクトル装置全体の断面図
【図１３】図１１のリアクトル装置全体の上面図、正面図及び右側面図
【発明を実施するための形態】
【００１７】
以下、本発明の実施の形態について、図面を参照して詳細に説明する。
【００１８】
（一実施の形態）
図３は、本発明の一実施の形態に係るリアクトル装置１００全体の斜視図であり、図４は、その分解斜視図であり、図５は、リアクトル装置１００全体の断面図であり、図６は、図５の断面図において円で囲んだ領域の拡大図である。図７（ａ）は、図１のリアクトル装置１００全体の上面図、図７（ｂ）が図１のリアクトル装置１００全体の正面図、図７（ｃ）が図１のリアクトル装置１００全体の右側面図である。
【００１９】
トランス１０１は、図５に示すように、断面形状がＥ型の上部Ｅコア１０２、下部Ｅコア１０３を一対結合してなり、上部Ｅコア１０２及び下部Ｅコア１０３の各中脚部１０２−１、１０３−１の周囲に図示せぬコイルが巻回されている。このコイルの外周には、絶縁性材料からなるボビン１０４が配置される。ボビン１０４は、コイルの外周を覆う筒状体である。
【００２０】
このような構成を有するトランス１０１の上面及び左右両側面を覆う放熱板１０５がトランス１０１の外周に嵌合される。放熱板１０５は、図５に示すように、断面形状がコの字型となるように、金属材料が折り曲げ形成される。放熱板１０５として採用される代表的な金属材料としては、熱伝導性に優れ、かつ、安価なアルミなどが挙げられる。
【００２１】
また、トランス１０１は、リアクトルケース１０６に収容され、リアクトルケース１０６の側壁とトランス１０１との間隙にポッティング樹脂材（図示せず）が流し込まれ、充填・硬化される。このとき、ポッティング樹脂材は、放熱板１０５の下端部が浸かるまで充填され（図６参照）、かつ、上部Ｅコア１０２が浸からないように充填される。具体的には、トランス１０１の高さの１／４以上１／２未満の高さまで充填されることが考えられる。これにより、十分な放熱特性が得られ、高価なポッティング樹脂材の使用量を少量に抑えることができる。また、硬化したポッティング樹脂材は、放熱板１０５を固定し、トランス１０１で発生した熱を放熱板１０５からリアクトルケース１０６に伝えることができる。なお、ポッティング樹脂材としては、シリコン系またはエポキシ系の一般的な樹脂が挙げられる。
【００２２】
リアクトルケース１０６は、底面が熱伝導性の高い金属性のプレートで構成され、底面から垂直に延伸する側壁が設けられ、開口した一面からトランス１０１を収容する。リアクトルケース１０６は、その底面が冷却機構を備えた台座（図示せず）に据え付けられて固定される。すなわち、本実施の形態では、リアクトルケース１０６の底面が台座（ヒートシンクなど）に接するように固定するだけで良く、特許文献１のように、ブラケット１２（本発明における放熱板１０５）が、ヒートシンク１３（本発明における台座）に接するようにボルトＢ１などで固定する必要はない。
【００２３】
このように、リアクトル装置１００の配置の自由度を高めることができ、設計変更などを容易に行うことができる。また、リアクトルケース１０６は、ポッティング樹脂材から伝わる熱を底面の金属プレートから台座に伝え、冷却することができる。
【００２４】
また、リアクトルケース１０６の側壁は、下部Ｅコア１０３の高さと同程度の高さを備えており、少なくとも、ポッティング樹脂材が放熱板１０５の下端部を浸すことが可能な高さを備えていればよい。この構成により、リアクトルケース側壁の高さを低減することができ、リアクトル装置１００の省スペース化に寄与することができる。
【００２５】
このような構成を有するリアクトル装置１００では、トランス１０１で発生した熱がトランス１０１の上面及び側面に接する放熱板１０５に伝わり、放熱板下端部からポッティング樹脂材、リアクトルケース１０６、台座へと順次伝わることにより、上部Ｅコア１０２を含むトランス１０１を冷却することができる。
【００２６】
このように、本実施の形態では、トランス１０１上部を形成する上部Ｅコア１０２の外周に放熱板１０５を接触させ、トランス１０１とリアクトルケース１０６との間隙に放熱板１０５の下端部が浸かるまでポッティング樹脂材を充填する。これにより、リアクトル装置１００の放熱性が向上すると共に、高価なポッティング樹脂材の使用量を少量に抑えることができるので、安価なリアクトル装置１００を提供することができる。
【００２７】
また、リアクトルケース１０６の開口した一面からトランス１０１を収容し、リアクトルケース１０６を台座に固定する。これにより、リアクトル装置１００の配置の自由度を高めることができ、設計変更などを容易に行うことができる。
【００２８】
なお、本実施の形態では、断面形状がコの字型の放熱板を用いる構成について説明したが、本発明はこれに限るものではない。以下、断面形状がＬ字型について説明する。
【００２９】
図８は、リアクトル装置全体の斜視図であり、図９は、リアクトル装置全体の断面図であり、図１０（ａ）は、図８のリアクトル装置全体の上面図、図１０（ｂ）が図８のリアクトル装置全体の正面図、図１０（ｃ）が図８のリアクトル装置全体の右側面図である。
【００３０】
これらの図に示すように、断面形状がＬ字型の放熱板を２つ組み合わせてトランスの上面及び左右両側面に沿って接着してもよい。この構成によれば、放熱板の折り曲げを１箇所で済ませることができるので、放熱板がトランスの上面及び側面により密着することができる。この結果、放熱性をより高めることができる。図８〜１０では、Ｌ字型の放熱板を２つ組み合わせる場合を示したが、Ｌ字型の放熱板１つをトランスの上面及び一側面に沿って接着するようにしてもよい。
【００３１】
次に、断面形状がＩ字型について説明する。図１１は、リアクトル装置全体の斜視図であり、図１２は、リアクトル装置全体の断面図であり、図１３（ａ）は、図１１のリアクトル装置全体の上面図、図１３（ｂ）が図１１のリアクトル装置全体の正面図、図１３（ｃ）が図１１のリアクトル装置全体の右側面図である。
【００３２】
これらの図に示すように、断面形状がＩ字型の放熱板をトランスの両側面に沿って接着してもよい。この構成によれば、リアクトル装置の高さを低減することができるので、ＰＨＥＶまたはＥＶにリアクトル装置を搭載する際、高さ方向に制限がある場合に有効である。図１１〜１３では、Ｉ字型の放熱板を２つ組み合わせる場合を示したが、Ｉ字型の放熱板１つをトランスの一側面に沿って接着するようにしてもよい。
【００３３】
上記いずれの放熱板を用いる場合においても、放熱板の一部が上部Ｅコアに接し、放熱板の下端部がポッティング樹脂材に浸かっている必要がある。
【産業上の利用可能性】
【００３４】
本発明にかかるリアクトル装置は、例えば、ＰＨＥＶまたはＥＶ等の車両に適用できる。
【符号の説明】
【００３５】
１００  リアクトル装置
１０１  トランス
１０２  上部Ｅコア
１０３  下部Ｅコア
１０４  ボビン
１０５  放熱板
１０６  リアクトルケース
【図１】
2014036194.tif 000003
【図２】
2014036194.tif 000004
【図３】
2014036194.tif 000005
【図４】
2014036194.tif 000006
【図５】
2014036194.tif 000007
【図６】
2014036194.tif 000008
【図７】
2014036194.tif 000009
【図８】
2014036194.tif 000010
【図９】
2014036194.tif 000011
【図１０】
2014036194.tif 000012
【図１１】
2014036194.tif 000013
【図１２】
2014036194.tif 000014
【図１３】
2014036194.tif 000015